【手続補正書】
【提出日】平成17年2月22日(2005.2.22)
【手続補正１】
【補正対象書類名】特許請求の範囲
【補正対象項目名】全文
【補正方法】変更
【補正の内容】
【特許請求の範囲】
【請求項１】
回転角調整装置、具体的には電気ロータリスイッチ（１）の回転角調整装置であって、側部（６）の１つが開いて略ポット状を形成するレセプタクル（８）を備えたステータ（２）と、ステータ（２）に、回転軸受けとしての該レセプタクル（８）において回転可能で、少なくとも２つの回転角度位置の間を移動可能に取り付けられたロータ（３）と、ロータ（３）によって動かされるマグネット（４）と、回転角度位置に対応する信号を発するために、マグネット（４）に関連する磁界センサ（５）とを備え、該磁界センサ（５）は、ステータ（２）上のレセプタクル（８）および／またはステータ（２）内に取り付けられたパーツに、ステータ（２）が磁界センサ（５）のマウントとして機能するよう配置され、該マグネット（４）は、ロータ（３）の回転軸上に配置され、該磁界センサ（５）は、ホールセンサの形状で、そのチップ面に平行する磁界に対して二次元的に敏感であり、該磁界センサ（５）は、レセプタクル（８）の開口側部（６）とは反対側の側部（７）すなわち、ステータ（２）の下面に取り付けられたことを特徴とする回転角調整装置。
【請求項２】
前記ステータ（２）および／あるいはロータ（３）が、プラスチック、具体的にはポリアミドのような熱可塑性プラスチックで構成され、ステータ（２）および／あるいはロータ（３）が、好ましくは射出成形パーツとして形成され、さらに、前記マグネット（４）が、好ましくは二次元的に正反対に磁化された円筒状の永久磁石であることを特徴とする請求項１に記載の回転角調整装置。
【請求項３】
前記ロータ（３）は、ステータ（２）の内側に配置されたレセプタクル（８）の外面（２５）が、回転軸受けとして機能するよう、原則的に、具体的には完全にレセプタクル（８）内に配置され、ロータ（３）がレセプタクル（８）内に固定され、脱落しないよう、ラッチング要素（２６）が、ステータ（２）とロータ（３）とを相互に係合していることを特徴とする、請求項１あるいは２に記載の回転角調整装置。
【請求項４】
前記磁界センサ（５）の電気接続のための導電トラック（９）がステータ（２）内に配置されており、該導電トラック（９）が、磁界センサ（５）の配置のため、具体的にはステータ（２）に取り付けられているパーツとして、好ましくはレセプタクル（８）の中へ延出していることを特徴とする、請求項１、２あるいは３に記載の回転角調整装置。
【請求項５】
前記導電トラック（９）が、金属で構成された型押しされたグリッド状であり、具体的にはステータ（２）の形成中に型押しされ、射出成形パーツのためのプラスチックに注入されることを特徴とする、請求項１〜４のいずれかに記載の回転角調整装置。
【請求項６】
前記導電トラック（９）が、ステータ（２）内に、ＭＩＤ（Ｍｏｌｄｅｄ  Ｉｎｔｅｒｃｏｎｎｅｃｔｅｄ  Ｄｅｖｉｃｅ、成形相互接続装置）構成部品の形状で、導電トラック（９）の金属化プラスチックなどによって組み込まれていることを特徴とする、請求項１〜４のいずれに記載の回転角調整装置。
【請求項７】
前記磁界センサ（５）が、コネクション（１１）を有するカプセルチップ、具体的にはＳＭＤ（Ｓｕｒｆａｃｅ  Ｍｏｕｎｔｅｄ  Ｄｅｖｉｃｅ、外面実装型デバイス）構成部品の形状で、電気接触の形成のため、導電トラック（９）にはんだ付されていることを特徴とする、請求項１〜６のいずれかに記載の回転角調整装置。
【請求項８】
前記磁界センサ（５）が、導電トラック（９）との電気接触の形成に用いられるチップに具体的には溶接された固定ワイヤ（２４）を有する、非カプセル化チップであることを特徴とする、請求項１〜６のいずれかに記載の回転角調整装置。
【請求項９】
前記ステータ（２）の外部がハウジング（１２）の形状をしており、前記ステータ（２）
をホルダ（１４）に取り付ける、具体的にはステータ（２）内のレセプタクル（８）の開口側部（６）がホルダ（１４）に対面するよう取り付けるため、ラッチングおよび／あるいはスナップフック（１３）が、好ましくはハウジング（１２）に配置されていることを特徴とする、請求項１〜８のいずれかに記載の回転角調整装置。
【請求項１０】
前記ホルダ（１４）が、必要に応じて電気器具などのパネルを備えるプリント基板であって、具体的にはステータ（２）内の導電トラック（９）が該プリント基板上で関連する導電トラックと接触し、前記磁界センサ（５）によって発せられる信号を評価するための電子機器（１５）が、好ましくは前記プリント基板に配置されていることを特徴とする、請求項１〜９のいずれかに記載の回転角調整装置。
【請求項１１】
前記ロータ（３）は、レセプタクル（８）の開口側部（６）上にハンドル（１６）を手動で回転させるべく、シャフト（１７）などによってハンドル（１６）を挿入するための凹所（１８）を有することを特徴とする、請求項１〜１０のいずれかに記載の回転角調整装置。
【請求項１２】
前記ハンドル（１６）が、ホルダ（１４）のハウジング（１２）とは反対側の側面上に配置されており、ステータ（２）内のレセプタクル（８）の開口側部（６）に対応する開口部（１９）が、好ましくはホルダ（１４）内に配置されており、シャフト（１７）が前記開口部（１９）を介し、凹所（１８）へ挿入されていることを特徴とする請求項１〜１１のいずれかに記載の回転角調整装置。
【請求項１３】
前記ロータ（２）の回転角位置は、ラッチング位置であることを特徴とする、請求項１〜１２のいずれかに記載の回転角調整装置。
【請求項１４】
電気スイッチが、前記ハウジング（１２）にメインスイッチとして配置されていることを特徴とする、請求項１〜１３のいずれかに記載の回転角調整装置。
【請求項１５】
前記マグネット（４）が、中間要素（２１）に取り付けられ、
前記中間要素（２１）が、ロータ（８）に、具体的には回転可能に取り付けられていることを特徴とする、請求項１〜１４のいずれかに記載の回転角調整装置。
【請求項１６】
回転角調整装置、具体的には電気ロータリスイッチ（１）の回転角調整装置であって、ステータ（２）と、ステータ（２）に回転可能で、少なくとも２つの回転角度位置の間を移動可能なように取り付けられたロータ（３）と、ロータ（３）によって動かされるマグネット（４）、具体的には永久磁石と、回転角度位置に対応する信号を発するために、マグネット（４）に関連する磁界センサ（５）、具体的にはホールセンサとを備え、該マグネット（４）がロータ（３）に対するマグネット（４）の位置を調整するために移動可能に配置され、ロータ（３）が１つの回転角位置にあるとき、マグネット（４）の位置の調整を可能にすることを特徴とする前記請求項のいずれかに記載の回転角調整装置。
【請求項１７】
前記マグネット（４）が、回転可能に、ロータ（３）上に、具体的にはロータ（３）内の磁界センサ（５）に対面するレセプタクル（２０）に取り付けられていることを特徴とする、請求項１６に記載の回転角調整装置。
【請求項１８】
前記マグネット（４）の位置を調整するための調整手段が、マグネット（４）とロータ（３）との間に配置され、好ましくは回転可能に、具体的にはロータ（３）上のレセプタクル（２０）内に取り付けられた中間要素（２１）として、更に好ましくは、前記マグネット（４）が前記中間要素（２１）に取り付けられていることを特徴とする、請求項１６あるいは１７に記載の回転角調整装置。
【請求項１９】
前記マグネット（４）が、ステータ（２）の外側から、具体的には側部（６）の１つが開いておりロータ（３）の回転軸受けとして用いられるステータ（２）内のレセプタクル（８）を介して、調整のためのアクセスが可能であり、好ましくはロータ（３）内にアパーチャ（２２）が配置されていることを特徴とする、請求項１６、１７あるいは１８のいずれかに記載の回転角調整装置。
【請求項２０】
前記アパーチャ（２２）は、レセプタクル（８）の開口側部（６）に対面する方のロータ（３）の外面から、マグネット（４）および／あるいは中間要素（２１）へと延出しており、トルクスの一種、十字型スロットあるいは類似のレセプタクル（２３）がマグネット（４）および／あるいは中間要素（２１）に、好ましくはアパーチャ（２２）に対面して配置され、スクリュードライバなどのレセプタクル（２３）に嵌合するツールによってアパーチャ（２２）を介して調整が可能であることを特徴とする、請求項１６〜１９のいずれかに記載の回転角調整装置。
【請求項２１】
前記マグネット（４）の調整された位置は、マグネットが回転できないようロータ（３）に連結、具体的には、調整後、マグネット（４）および／あるいは中間要素（２１）が粘着、溶接、鋳造などでロータ（３）に連結されていることを特徴とする請求項１６〜２０のいずれかに記載の回転角調整装置。
【請求項２２】
前記マグネット（４）が、磁気粒子およびプラスチックを有する物質で構成されており、好ましくは前記物質が成形、具体的には射出成形で、中間要素（２１）およびマグネット（４）に相当するボディとして形成されていることを特徴とする、請求項１６〜２１のいずれかに記載の回転角調整装置。